(57)【要約】【課題】管理者と訓練者の意思疎通を図ることによって、リハビリテーションを正しく、無駄なく、安全に実行することができるコミュニケーション式リハビリテーション装置を提供する。【解決手段】指でボタンを押す動作を繰り返す操作部と、ボタンの押された回数を表示する管理部とを有するリハビリテーション装置であって、操作部１１は、指で押すボタンを複数個配列したボタン列１３と、ボタンを押す操作によってオンとなるボタンと同数個のスイッチと、各スイッチを電気的に接続してスイッチのオン・オフを管理部へ伝達する操作部回路１４とを具備し、管理部１７は、ボタンの押された回数を表示する表示部を有する少なくとも１個のカウンター１８を具備して構成する。【選択図】          図１
2011030840.tif 000002
【特許請求の範囲】
【請求項１】
指でボタンを押す動作を繰り返す操作部と、ボタンの押された回数を表示する管理部とを有するリハビリテーション装置であって、
操作部は、指で押すボタンを複数個配列したボタン列と、ボタンを押す操作によってオンとなるボタンと同数個のスイッチと、各スイッチを電気的に接続してスイッチのオン・オフを管理部へ伝達する操作部回路とを具備し、管理部は、ボタンの押された回数を表示する表示部を有する少なくとも１個のカウンターを具備して構成されたコミュニケーション式リハビリテーション装置。
【請求項２】
複数個のボタンは、指を開いて操作するように、隣接ボタン同士が離れて配置されている請求項１記載のコミュニケーション式リハビリテーション装置。
【請求項３】
カウンターは液晶表示部を有し、液晶表示部はその電源として電池を内蔵しており、上記内蔵の電池を装置の電源としても用いている請求項１記載のコミュニケーション式リハビリテーション装置。
【請求項４】
操作部と管理部とは別体に設けられており、操作部は複数個用意され、管理部は複数個のカウンターを有していて、各カウンターと操作部の回路とが連絡手段によって結合されている請求項１記載のコミュニケーション式リハビリテーション装置。
【請求項５】
操作部は複数個用意され、管理部は操作部と同数個のカウンターを有している請求項１記載のコミュニケーション式リハビリテーション装置。
【請求項６】
複数個のボタンから成るボタン列を複数個有し、そのうちのどのボタン列を動作可能にするかを選択するために、動作選択スイッチを操作部のスイッチと管理部のカウンターの間にボタン列と同数個組み込んで構成された請求項１記載のコミュニケーション式リハビリテーション装置。
【請求項７】
動作選択スイッチをボタン列と同数個設け、それらを同時にオン・オフするためにロータリースイッチを用いた請求項５記載のコミュニケーション式リハビリテーション装置。
【発明の詳細な説明】
【技術分野】
【０００１】
本発明は、指でボタンを押す動作を繰り返すコミュニケーション式リハビリテーション装置に関するものである。
【背景技術】
【０００２】
例えば疾病や事故の後遺症或いは老齢により指が動かなくなったり、指を動かし難くなったりした者に対して、その障害を克服するために様々なリハビリテーションが行なわれている。特に、指には関節部が多いため、動かさないでいると短期間でも動きが鈍くなる傾向があり、老化に伴い関節部の代謝も悪くなるから、高齢者が指の機能を維持するためには積極的に動かすことが必要である。しかしながら、指の動きを目的としたリハビリテーション装置はあまり提案されていない。
【０００３】
関連技術には高齢者等の自主管理システムに関する特開２００２−１１０５７号の発明があり、同発明は老齢による知的活動の進行を防止するために、日常の規則的な行動を自主管理することを課題としている。リハビリテーションを自主管理することは当然のことであるし、障害の克服には不可欠であるけれども限界もあり、また、時として客観性に欠けることがある。特開平１１−１７９００１号はパチンコゲーム機能を備えたリハビリテーション機に関する発明であり、その装置には手指又は身体部分で操作できる操作部分が備わっているが、特定の指だけの訓練となる可能性がある。
【０００４】
リハビリテーションが自主的に行うべきものであることはそのとおりであるとしても、リハビリテーションがどのように進められているかを把握してその成果を評価したい場合があり、また、機能回復の度合いを知るためにデータとして定期的に記録しておくことを求められる場合もある。このような場合に、指導や管理に当たるドクターないしスタッフ（以下、管理者という）とリハビリテーションを実行している者（以下、訓練者という）との間において、意思疎通を図るのも望ましいことである。コミュニケーションによってリハビリテーションの成果をより確実に把握できるようになるからである。
【０００５】
【特許文献１】特開２００２−１１０５７号
【特許文献２】特開平１１−１７９００１号
【発明の開示】
【発明が解決しようとする課題】
【０００６】
本発明は前記の点に着目してなされたもので、その課題は、指を積極的に動かすか或いは動かそうとする努力によって、指及びそれをコントロールする脳の活性化を図り、老化の進行を遅らせることである。また、本発明の他の課題は、管理者と訓練者の意思疎通を図ることによって、リハビリテーションを正しく、無駄なく、安全に実行することができるコミュニケーション式リハビリテーション装置を提供することである。
【課題を解決するための手段】
【０００７】
前記の課題を解決するため、本発明は、指でボタンを押す動作を繰り返す操作部と、ボタンの押された回数を表示する管理部とを有するリハビリテーション装置について、操作部は、指で押すボタンを複数個配列したボタン列と、ボタンを押す操作によってオンとなるボタンと同数個のスイッチと、各スイッチを電気的に接続してスイッチのオン・オフを管理部へ伝達する操作部回路とを具備し、管理部は、ボタンの押された回数を表示する表示部を有する少なくとも１個のカウンターを具備して構成するという手段を講じたものである。１列のボタンの数は指と同数個つまり５個設けることが望ましいが、しかし、５個でなければ全く役に立たないというものではなく、また、５本の指を持たない訓練者もおり、動作に余裕のある訓練者であれば５個より多くても良いので、複数個としているものである。従って、５個より少なくてもまた多くても、管理者側の必要など状況に応じた数のボタンを備えることができる。
【０００８】
本発明の基本的構成においては、訓練者がボタン操作を行う操作部と、ボタン操作の回数を表示するカウンターを具備した管理部とを有することが必要な要件であり、操作部と管理部が１台のケースに設けられているか、或いは別々に設けられているかは問題ではない。即ち、本発明のコミュニケーション式リハビリテーション装置は、操作部と管理部が１台のケースに設けられている形態（後述の例２）と、別々に設けられている形態（後述の例１と例３）とを含むものである。
【０００９】
複数個のボタンは、指を開いて操作するように、隣接ボタン同士が離れて配置されていることが望ましい。鍵盤楽器の鍵盤列や一般的なキーボードのキー列では、隣接キー同士が接するように並べられているので、指を開かずに操作することができる。しかし隣接ボタン同士を離して配置する場合、一般的には、指を開こうとする必要があるので、指を開かずに操作する場合に比較してボタン操作により強い意識を必要とする、その一方では、指が開いたままの訓練者について、指を閉じなくてもボタン操作をすることが可能になるという利点がある。
【００１０】
本発明におけるカウンターは表示部として液晶表示部を有し、液晶表示部はその電源として電池を内蔵しており、上記内蔵の電池を装置の電源として用いる構成を取ることができる。このような液晶表示部はゼロが表示されていれば動作可能であり、電池寿命が尽きればゼロ表示が消えるという構成であるので、消費電力が極めて少なく、かつまた安全であり、耐久性も十分である上、オン・オフ操作が不要であるなど利点も多い。  
【００１１】
本発明では、操作部と管理部とは別体に設けられており、この別体構成において操作部が複数個用意され、管理部は操作部と同数個のカウンターを有していて、各カウンターと操作部の回路とが連絡手段によって結合されているという構成を取ることができる。本発明のコミュニケーション式リハビリテーション装置において、操作部と管理部が別々に設けられている形態を含むことは既に述べたとおりであり、その場合に操作部と管理部を結合するのが連絡手段である。連絡手段としては、上記液晶表示部の内蔵電池を電源とする場合には通電用のコード、また、夫々が独立した電源を使用する場合には赤外線や電波を使用する通信手段を用いることができる。操作部と管理部が連絡手段によりつながることでコミュニケーションも確保され得る。
【００１２】
操作部が複数個用意され、管理部は複数個のカウンターを有しているという構成は、複数の手又は複数の訓練者の同時操作によるリハビリテーションのために必要となる。そして、複数個のボタンから成るボタン列を複数個有し、その内のどのボタン列を動作可能にするかを選択するためには、操作部のスイッチと管理部のカウンターの間に動作選択スイッチをボタン列と同数個組み込んで構成することが望ましい。
【００１３】
ボタン列は標準的には指の数に一致する５個のボタンから成り、１個のボタン列は１人の訓練者又はその片手によって操作するので、例えば３人用の場合には最小限３個のボタン列が必要であり、従って３個の動作選択スイッチが組み合わされる。これに対して、訓練者が複数人いる場合でも個々人の操作回数を区別することなく積算表示することができるので、カウンターの個数はボタンと同数個例えば５個あれば良、個人を区別する必要がある場合には操作部と管理部が１対１の組み合わせを取ることで解決できる。上記動作選択スイッチをボタン列と同数個設け、それらを同時にオン・オフするためには、ロータリースイッチを用いると、複数個のボタン列を同時にオン・オフ切り換えすることができるから都合が良い。
【００１４】
なお、上記のボタンを押す操作は、カウンターにより回数が計数され、かつ表示部に表示される。カウンターによる計数とともにタイマーが始動し、所定時間内にボタンを何回押すことができたかを計数し、かつその回数を表示部に表示することは、訓練者自身に成果を認識させ、或いは管理者に訓練状況を把握させるなどの点において重要である。上記の計数を停止し、表示をゼロに戻すためにリセット手段を用いる。リセット手段はこの種の装置を繰り返し使用するための手段であり、このようにして、個々人がマイペースで使用可能な装置を構成し得る。また、本発明によれば、ボタンの押された回数を計数する時間を設定することも可能であり、かつ設定された計数時間の経過後に計数を停止するタイマーを具備することもできる。
【００１５】
本発明の装置には、さらに報知手段を設けることも可能である。この報知手段の意義はボタンの押されたことを知らせる、つまりフィードバック手段の一つであり、報知手段としては例えば音を発するブザー、光を発するランプやＬＥＤ、或いはそれらの併用もあり得る。また、ボタン自体が発光する構成も取り得るし、報知手段をタイムアップを知らせる手段として用いることもできる。上記のボタン列は、例えば音階にしたがって盤面に配列された複数個のキーを有し、指先で触れると発音装置から特定のキーに応じた特定の音を発するキーボードとして設けることも可能である。このようなキーボードにより、単なるブザーとは異なる音階に従った音を発することができるという効果がある。このような報知手段を装備するときには、液晶表示部内蔵の電池を電源としたのでは電力が不足するので、交流又は直流の電源を別途用意する。
【発明の効果】
【００１６】
本発明は以上のように構成されかつ作用するものであるから、指を積極的に動かすか或いは動かそうとする努力によって、指及びそれをコントロールする脳の活性化を図り、或いは老化の進行を遅らせることができ、訓練者が行った行為を操作部にて確認しその成果を客観的に把握することができる。また、本発明によれば、管理者と訓練者の意思疎通を図ることによって、リハビリテーションを正しく、無駄なく、安全に実行することができるコミュニケーション式リハビリテーション装置を提供することができるという効果を奏する。
【発明を実施するための最良の形態】
【００１７】
以下、図示の実施形態を参照して本発明のコミュニケーション式リハビリテーション装置について、より詳細に説明する。図１は本発明に係る例１のコミュニケーション式リハビリテーション装置１０を示しており、１１は操作部であって、細長い箱状に形成した装置本体１２を有している。１３はボタンの列であり、装置本体１２の上面に横一列に設けられた５個から成るボタンＢ１、Ｂ２、Ｂ３、Ｂ４、Ｂ５によって構成されている。
【００１８】
上記のボタンＢ１〜Ｂ５は指を開いて操作するように隣接ボタン同士を離して配置されており、かつまた、手の指の長短が形成する指先の曲線に適合するように、緩くカーブさせた配列を有している。即ち図１において、操作中の訓練者の指先は右上方を向く。これらのボタンＢ１〜Ｂ５はいわゆる押しボタンであり、訓練者が押す操作により接点がオンになるスイッチＳ１、Ｓ２、Ｓ３、Ｓ４、Ｓ５を備えている（図２参照）。ボタン列１３は、５個のボタンＢ１、Ｂ２、Ｂ３、Ｂ４、Ｂ５のスイッチＳ１、Ｓ２、Ｓ３、Ｓ４、Ｓ５を通電可能に接続してスイッチ操作のオン・オフを管理部１７へ伝達するように、操作部回路１４を具備している。
【００１９】
上記の操作部回路１４は、５個のボタンＢ１、Ｂ２、Ｂ３、Ｂ４、Ｂ５が備えている各スイッチＳ１、Ｓ２、Ｓ３、Ｓ４、Ｓ５を並列接続したもので、少なくとも２極の端子から成るソケット１５ａを有し、連絡手段１６として具備したプラグ１５ｂを有するコードを用いて管理部１７と接続されている。この管理部１７は、ボタンＢ１、Ｂ２、Ｂ３、Ｂ４、Ｂ５の押された回数を表示する液晶表示部１８ａを有する、１個のカウンター１８を具備している。この種のカウンター１８としては、例えばオムロン株式会社のカウンターＨ７Ｅシリーズの製品を使用することができる。
【００２０】
管理部１７には管理部回路１９が設けられており、管理部回路１９はカウンター入力部１９ａとリセット入力部１９ｂとを有し、液晶表示部１８ａはリセットキー１９ｃによってカウント値をゼロにリセットすることができる。例１の装置１０では電源スイッチの必要がなく、液晶表示部１８ａは内蔵されている電源電池（図示せず）によって常時作動可能な状態に置かれている。従って、操作部１１と管理部１７が接続されていれば、訓練者が５個のボタンＢ１、Ｂ２、Ｂ３、Ｂ４、Ｂ５のどれを押した場合でも、押した回数はカウンター１８の液晶表示部１８ａに表示される。
【００２１】
例１において、管理部１７の側にいる管理者は訓練者の指の動きと液晶表示部１８ａとを注視し、例えば使われる指の偏り（使用頻度と傾向）や、指による動作の滑らかさの違い、指の動く速さ等を観察しながら、リハビリテーションに有益と考えられる指示を訓練者に与える。リハビリテーションを行う手や指、或いは訓練者が変わるとき、若しくは誤動作をキャンセルしたい場合などの動作の区切り、そして、必要なときにはリセットキー１９ｃを押してカウント値をゼロにリセットする。かくして、訓練者は孤独に陥ることもなく、また、管理者とのコミュニケーションの下に、適切にリハビリテーションを受けることができる。
【００２２】
図３は本発明に係る例２のコミュニケーション式リハビリテーション装置２０を示しており、例１では別体に設けられていた操作部１１と管理部１７とを一体にした構造の装置本体２２を備えているものである。従って、例１と同一の構成要素に該当するものについては同じ符号を使用して示し、相違するものについて新たな符号を示すものとすると図３のとおりとなる。図３のものは図２の配線図とほぼ同じ回路構成を備えており、操作部回路１４及び管理部回路１９は敢えて図示しないけれども、内蔵されているのは自明のこととする。しかし、例２では、例１におけるソケット１５ａとプラグ１５ｂを省略することができる。
【００２３】
例１と同一の他の構成要素については詳細な説明を繰り返さないが、図３中の符号２３は緩くカーブさせた配列を有するボタン列で、平たい箱型の装置本体の上面に配置され、２４ａはソケットで、外部管理部２７の側面に設けられ、２４ｂはそれに嵌め込むプラグで、コード２６の他端に設けられている。また、２９はカウンターリセット用のボタンを示しており、カウンターに付属のもの（リセットキー）が小さく、高齢者等の操作に適さない場合に備えて盤面に追加したものである。
【００２４】
よって、例２の装置２０の操作方法は例１のものと同じであるから、ボタンＢ１〜Ｂ５を押す動作を繰り返すことで、その回数を表示部に表示することができる。なお、表示部であるカウンター２８が訓練者の方向に向けられているので、訓練者が一人でリハビリテーションを実行したり、或いは管理者が訓練者の側にいて指導したりする場合に適しており、対面方式にも適する例１のものとこの点では相違する。但し、例２のものは、操作部２１を複数個連絡手段２６のコードを用いて別体の外部管理部２７に結合し、例１と同じような対面方式のコミュニケーション式リハビリテーション装置２０′を構成できるようにもなっている。
【００２５】
さらに図４、図５を参照して本発明の例３を説明する。図４に示す例３の装置３０は、５個の操作部３１を１台の管理部３７に接続して、一度に数人の訓練者に対するリハビリテーションを実行することができるように構成したもので、３１−１は１個の操作部を示しており、これと同じものを同時に５個使用することができる。３２は細長い箱状に形成した装置本体であって、指で押す５個のボタンＢ１〜Ｂ５を配列したボタン列３３を上面に有している。例３における操作部３１−１もボタンの列１３は、指を開いて操作するように隣接ボタン同士を離し、かつ、緩くカーブさせて配置した５個から成るボタンＢ１、Ｂ２、Ｂ３、Ｂ４、Ｂ５によって構成されている。
【００２６】
例３の装置３０における回路構成は図５に示されているとおり５個の操作部３１−１、３１−２、３１−３、３１−４、３１−５を有しており、個々の操作部３１−１〜３１−５はどのボタン列を動作可能にするかを選択するために、動作選択スイッチＳｎ−１〜５（ｎ＝１〜５）、すなわち第１番目の操作部３１−１についてはｎ＝１であるから、Ｓ１−１、Ｓ１−２、Ｓ１−３、Ｓ１−４、Ｓ１−５を有している。第２番目はｎ＝２であるからＳ２−１〜Ｓ２−５、以下同様にＳ３−１〜Ｓ３−５、Ｓ４−１〜Ｓ４−５、Ｓ５−１〜Ｓ５−５である。なお、枝番号−１〜−５はボタンＢ１〜Ｂ５に対応している。動作選択スイッチＳｎ−１〜５（ｎ＝１〜５）には押しボタンＰＢ−１〜ＰＢ−５が直列接続されており、これも枝番号−１〜−５はボタンＢ１〜Ｂ５に対応している。動作選択スイッチＳｎ−１〜５は作動させる回路を選ぶために使用するもので、開いているスイッチがある場合その回路に相当する位置のボタンＢ１〜Ｂ５（押しボタンＰＢ−１〜ＰＢ−５）を操作してもカウンターは作動しない。
【００２７】
例３の装置３０における装置本体３２には、ボタンＢ１〜Ｂ５に対応するソケット３５ａ−１〜３５ａ−５が設けられており、そこには、例えば第１番目の操作部（ｎ＝１）についての連絡手段３６であるコードの一端のプラグ３６ａが差し込まれる。連絡手段３６であるコードの他の一端のプラグ３６ｂは、管理部３７に設けられているソケット３５ｂ−１〜３５ｂ−５に差し込まれる。各ソケット３５ｂ−１〜３５ｂ−５は、管理部３７の平たい箱型の管理部本体４０の上面に配置されているカウンター３８−１〜３８−５に接続されている。なお、連絡手段３６は区別の必要がないので、全て同じ符号を用いる。
【００２８】
管理部回路３９は５個のカウンター３８−１、３８−２、３８−３、３８−４、３８−５を有している。また、管理部回路３９はカウンター入力部３９ａとリセット入力部３９ｂとを有し、液晶表示部３８−１〜３８−５はリセットボタン３９ｃ（ＲＳ１／１）によってカウント値をゼロにリセットすることができる。例３の場合、動作選択スイッチＳ１−１〜Ｓ１−５をボタンＢ１〜Ｂ５と同数個設け、さらにそれを第１番目から第５番目まで設けているので操作が煩雑になる。そこで、起動時にそれらを同時にオンとし、かつ、前部を同時にリセットするために５個のリセットスイッチＲＳ１／２、ＲＳ１／３、ＲＳ１／４、ＲＳ１／５、ＲＳ１／６を有するロータリースイッチ４１を用いている。リセットスイッチＲＳ１／１はタイマー回路に設けられている。なお、符号４２はタイマーの液晶表示部、４３はタイマーリセットボタンをそれぞれ示す。
【００２９】
よって、例３においては、１個の操作部３１−１が連絡手段３６によって、例えば図４中で一番左のソケット３５ｂ−１〜３５ｂ−５に接続されており、かつ、第１番目の動作選択スイッチＳ１−１〜Ｓ１−５が全てオンになっているとき、この操作部３１−１においてボタン操作がされれば、タイマーの液晶表示部４２及び全てのカウンター３８−１〜３８−５の液晶表示が作動可能な状態になる。つまりロータリースイッチ４１を時計方向に回転操作して、タイマーを作動させ、操作部３１−１のボタンＢ１〜Ｂ５が押される毎にその回数が液晶表示部に表示されるようになる。
【００３０】
しかし、仮に第１番目の第２、第３の動作選択スイッチＳ１−２、Ｓ１−３のみがオンになっていて、それ以外がオフである場合にはカウンター３８−２、３８−３のみが作動し、それ以外のカウンター３８−１、３８−４、３８−５はボタンＢ１、Ｂ４、Ｂ５を押しても作動しない。図４には１個の操作部３１−１が示されているに過ぎないが、さらにこれと同じ構成を有する操作部３１−２〜３１−５を合計５個用意し、連絡手段３６を用いて本体背面の５箇所のソケット３５ｂ−１〜３５ｂ−５に接続することによって、最大５人に操作部３１−２〜３１−５によるリハビリテーションを行うことができることは、既に触れたとおりである。
【００３１】
例３の装置３０において、カウンター３８−１〜３８−５は５個を設けているだけであるので、第１番目の操作部３１−１から第５番目の操作部３１−５まで全てが管理部３７に接続されている場合、どの操作部３１−１〜３１−５が操作されても、それが何番目の操作部３１−ｎによる操作の結果であるのかは区別されない。従って、操作が重なった場合には、重なっただけの回数の計数値が該当するカウンター３８−１〜３８−５に加算された積算表示となる。
【００３２】
また、図５には、本発明の装置がカウンターの液晶表示部における内蔵電池以外にも、電源を求め得る構成についての図示記載がある。その４４は直流電源を、また４５は交流電源を示しており、これらを選択的に管理部回路３９に接続することによって、上記内蔵電池ではまかない切れない用途の装置を併用することを可能にするものであり、その例としては、例えば音を発するブザー、光を発するランプやＬＥＤ、或いはそれらを併用することが可能になる。
【００３３】
例３の装置３０において、操作を停止するにはロータリースイッチ４１を反時計方向に回転操作する。それによってタイマー４２が停止し、全てのカウンター３８−１〜３８−５も停止する。また、リセットボタン３９ｃを押すことによって、全てのカウンター３８−１〜３８−５の表示を同時にゼロに戻すことができ、さらに、タイマーリセットボタン４３を押せばタイマーをリセットすることができる。
【００３４】
以上の説明では、操作部１１・・・として５個のボタンＢ１〜Ｂ５を配列したもののみを説明したが、これを２組合体して左右各５個ずつ計１０個のボタンの列から成るように配列するとともに、回路的には、例えば図２の回路を２組並べて構成することによって左右両手操作に対応することは、本発明の範囲において当然成し得る変更である。しかし、また、両手操作の必要性がある場合には、例１等に示した操作部１１・・・の２組を一人で使用することによっても対応することができる。
【図面の簡単な説明】
【００３５】
【図１】本発明に係る例１のコミュニケーション式リハビリテーション装置の全体を示す斜視図である。
【図２】同上装置の回路例を示す回路図である。
【図３】同じく本発明に係る例２のコミュニケーション式リハビリテーション装置を示す斜視図である。
【図４】同じく本発明に係る例３のコミュニケーション式リハビリテーション装置を示す斜視図である。
【図５】同上装置の回路例を示す回路図である。
【符号の説明】
【００３６】
１０、２０、２０′、３０  コミュニケーション式リハビリテーション装置
１１、２１、３１−１〜３１−５  操作部
１２、２２、３２  装置本体
１３、２３、３３  ボタンの列
１４、２４、３４  操作部回路
１５ａ、２４ａ、２５ａ、３５ａ  ソケット
１６、２６、３６  連絡手段
１７、２７、３７  管理部
１８、２８、３８−１〜３８−５  カウンター
１９、３９  管理部回路
４０  管理部本体
４１  ロータリースイッチ
４２  タイマーの液晶表示部
４３  タイマーリセットボタン
４４  直流電源
４５  交流電源
【図１】
2011030840.tif 000003
【図２】
2011030840.tif 000004
【図３】
2011030840.tif 000005
【図４】
2011030840.tif 000006
【図５】
2011030840.tif 000007